【事件の表示】
　平成　６年特許願第１５７９２４号「液晶駆動回路基板」拒絶査定不服審判事件〔平成　８年　１月１２日出願公開、特開平　８−　　６５２５〕について、次のとおり審決する。
【結　論】
　本件審判の請求は、成り立たない。
【理　由】
１．手続の経緯・本願発明  
　本願は、平成６年６月１５日に出願されたものであって、本願の請求項１〜５に係る発明は、平成１４年１１月２９日付け手続補正書、平成１５年３月１１日付け手続補正書及び平成１８年３月３１日付け手続補正書により補正された明細書及び図面の記載からみて、その特許請求の範囲の請求項１〜５に記載されたとおりのものであって、その請求項１に係る発明（以下、「本願発明」という。）は次のとおりのものと認める。  
 　　 
【本願発明】「基板と、動作信号のシフト方向を決定するシフト信号が入力されるシフト信号入力端子と、動作が開始される側を指示するセレクト信号が入力される一対のセレクト信号入出力端子と、を有し、従属接続されて前記基板に設けられた複数の駆動回路と、を備え、
　前記駆動回路は、
　前記シフト信号入力端子に入力されるシフト信号が、ハイレベルの信号であるか、ローレベルの信号であるか、に応じて、動作信号のシフト方向が設定され、前記一対のセレクト信号入出力端子の一方から入力されたセレクト信号を他方のセレクト信号入出力端子から出力する液晶駆動回路基板において、
　前記基板上に、
　少なくとも一定のハイレベル及びローレベルの制御信号が供給される入力端部と、
　前記入力端部から入力される前記ハイレベル及びローレベルの制御信号のいずれか一方を前記セレクト信号とし、該セレクト信号を、前記駆動回路の一対のセレクト信号入出力端子のうちのいずれかに入力するための、前記ハイレベル及びローレベルの制御信号のいずれか一方、及び、従属接続された前記複数の駆動回路のうちの両端の駆動回路の各セレクト信号入出力端子、に接続される複数のセレクト信号選択端子群と、
　前記入力端部から入力される前記ハイレベル及びローレベルの制御信号のいずれか一方の信号を前記シフト信号とし、該シフト信号を、前記駆動回路の前記シフト信号入力端子に入力するための、前記ハイレベル及びローレベルの制御信号、及び、前記複数の駆動回路の各シフト信号入力端子、に接続される複数のシフト信号選択端子群と、
　を形成し、
　前記シフト信号選択端子群において、前記ハイレベルの制御信号を前記シフト信号として前記複数の駆動回路の各シフト信号入力端子に入力するようにジャンプ部材で接続するとき、前記セレクト信号選択端子群において、前記セレクト信号と従属接続された前記複数の駆動回路のうちの一端側の駆動回路のセレクト信号入出力端子とをジャンプ部材で接続可能であり、
　前記シフト信号選択端子群において、前記ローレベルの制御信号を前記シフト信号として前記複数の駆動回路の各シフト信号入力端子に入力するようにジャンプ部材で接続するとき、前記セレクト信号選択端子群において、前記セレクト信号と従属接続された前記複数の駆動回路のうちの他端側の駆動回路のセレクト信号入出力端子とをジャンプ部材で接続可能としたことを特徴とする液晶駆動回路基板。」
　なお、請求項１の「前記入力端部から入力される前記ハイレベルおよびローレベルレベルの制御信号」の記載は「前記入力端部から入力される前記ハイレベルおよびローレベルの制御信号」の誤記と認められるので上記のごとく認定した。
 　  
２．当審の拒絶の理由 
　一方、当審において平成１８年１月２０日付けで通知した拒絶の理由の概要は、本願発明は、本願出願前の昭和６３年４月１２日に頒布された特開昭６３−８１３９５号公報（以下、「引用刊行物Ａ」という。）、同じく、本願の出願前の平成４年１月６日に頒布された特開平４−４８９号公報（以下、「引用刊行物Ｂ」という。）に記載された発明及び周知の技術事項に基づいて当業者が容易に発明をすることできたものであるから、特許法第２９条第２項の規定により特許を受けることができない、とういうものである。  
  　　　　　　 
３．引用刊行物記載の発明  
　上記引用刊行物Ａには、 
（Ａ−１）「１．複数個の液晶駆動用半導体チップを回路基板に直接搭載しワイヤボンディングにより回路基板上に形成された回路配線と接続し、前記半導体チップ間の配線が行われている液晶駆動回路において、半導体チップ間のデータ転送方向を基にして配線の定まる半導体チップの端子に対応する前記回路基板側ボンディングパッドを前記各端子に対し２個配設し、前記データ転送方向に基づき前記２個のボンディングパッドの一方を選択できることを特徴とする液晶駆動回路。」（特許請求の範囲）、
（Ａ−２）「〔産業上の利用分野〕本発明は液晶表示装置に係り、特に半導体素子を回路基板に直接搭載するチップオンボードに好適な液晶駆動回路に関する。」（１頁左下欄１６〜１９行）こと、 
（Ａ−３）「本発明の目的は、１種類の回路基板でデータ転送方向を変える手段を提供することにある。〔問題点を解決するための手段〕　上記目的は、データ転送方向を変える場合、接続を換える必要のある端子用の回路基板側ボンディングパッドをそれぞれ２つ作成し、ワイヤボンディング時にいずれか一方を選択することにより達成される。　〔作用〕　ボンディングパッドを２つずつ作りワイヤボンディングによりいずれか一方を選択することで、別の回路を作ることができ、これによりシフト方向が変えられる。」（１頁右下欄１９行〜２頁左上欄１１行）こと、 
（Ａ−４）「〔実施例〕　以下、本発明の一実施例を第１図により説明する。第１図は、表示面を上下方向に二分割した上下２分割液晶表示装置の概略図である。１は液晶表示素子，２は表示電極駆動回路，３は走査電極駆動回路である。４は２，３の駆動回路に信号および電圧を供給するラインである。本実施例の場合上下表示電極駆動回路２と１２とでは、半導体チップ間のデータの転送方向を逆にする必要がある。第２図は本実施例のチップ周辺部の模式図である。５，１５は表示電極駆動用半導体チップ，６，１６はボンディングパッド，７はワイヤである。３０はハイレベル電位ライン，３１はグランドラインである。ＳＨＬは、ライン３０あるいはライン３１に接続し、データ転送方向を決定する端子である。Ｅはイネーブル端子，ＣＡＲはキャリー端子であり、ある半導体チップのＣＡＲと次段半導体チップのＥが接続される。ここでＳＨＬをライン３１に接続するとき半導体チップ５から半導体チップ１５の方向にデータが転送されるとすると、破線のようにワイヤを接続する。また、逆に半導体チップ１５からの方向にデータ転送するためにＳＨＬをライン３０に接続するときは一点鎖線のようにワイヤを接続すればよい。」（２頁左上欄１２行〜右上欄１５行）こと、 
（Ａ−５）「〔発明の効果〕　本発明によればワイヤボンディングのみ配線を変えることにより１種類の基板でデータの転送方向を変換することが出来るので、基板の共通化ができる効果がある。」（２頁右上欄１６〜２０行）ことが記載されている。 
（Ａ−６）また、第１図には表示電極駆動回路２、１２及び走査電極駆動回路３に信号および電圧を供給するための信号・電源ライン４が外部から供給されること、及び第２図には表示電極駆動回路２の回路基板上のハイレベル電位ライン３０とグランドライン３１を含む信号・電源ライン４に、半導体チップ５、１５のＳＨＬ端子とワイヤで接続するためのハイレベル電位ライン３０とグランドライン３１の２個のボンディングパッドからなる端子群や、半導体チップ５、１５のイネーブル端子Ｅ、キャリー端子ＣＡＲの端子とワイヤで接続するためのボンディングパッドからなる端子群を設けることが描かれている。 
　上記（Ａ−１）〜（Ａ−６）を総合的に参照すると、上記引用刊行物Ａには、
「回路基板と、 
　データ転送方向を決定するハイレベル電位ライン３０またはグランドライン３１の電圧が入力される端子ＳＨＬと、キャリー端子ＣＡＲと、イネーブル端子Ｅとを有し、キャリー端子ＣＡＲとイネーブル端子Ｅとが接続され、回路基板上に搭載される半導体チップ５，１５と、
　で表示電極駆動回路２，１２を形成し、 
　前記表示電極駆動回路２，１２は、 
　前記端子ＳＨＬに入力される電圧が、ハイレベル電位ライン３０からの電圧であるか、グランドライン３１からの電圧であるか、に応じて、データの転送方向が設定され、半導体チップ１５から半導体チップ５へ、又は半導体チップ５から半導体チップ１５へデータが転送され、
　表示電極駆動回路２，１２と走査電極駆動回路３とからなる駆動回路において、 
　前記回路基板上に、
　外部から表示電極駆動回路２，１２と走査電極駆動回路３に信号・電圧を供給するための、ハイレベル電位ライン３０及びグランドライン３１を含む信号・電源ライン４と、 
　ハイレベル電位ライン３０及びグランドライン３１のいずれか一方のラインの電圧を半導体チップ５，１５の端子ＳＨＬに入力するために、半導体チップ５，１５の端子ＳＨＬと接続されるハイレベル電位ライン３０及びグランドライン３１の２個のボンディングパッドと、 
　を形成し、
　ハイレベル電位ライン３０のボンディングパッドと端子ＳＨＬをワイヤで接続することにより半導体チップ１５から半導体チップ５の方向にデータ転送し、
　グランドライン３１のボンディングパッドと端子ＳＨＬをワイヤで接続することにより半導体チップ５から半導体チップ１５の方向にデータが転送されることを特徴とする液晶駆動回路の回路基板。」の発明（以下、「引用発明」という。）が記載されていると認める。
　また、上記引用刊行物Ｂには、 
（Ｂ−１）「産業上の利用分野　本発明は、マトリクス状に配列した絵素を順次駆動して画像を表示するようにした液晶表示装置などの表示装置に関する。」（１頁右下欄６〜９行）こと、 
（Ｂ−２）「従来の技術　第９図は、従来の単純マトリクス駆動方式の液晶表示装置の概略的な構成を示す平面図である。液晶パネル１は互いに交差する方向に配列した複数本のコモン電極Ｙと複数本のセグメント電極Ｘとの間に液晶層を介在させて構成されており、各コモン電極Ｙと複数本のセグメント電極Ｘが交差する部分の液晶層が各絵素となっている。すなわち、液晶パネル１には複数の絵素がマトリクス状に配置されている。液晶パネル１の上下両端つまり絵素の列の端部側には、絵素の各列つまり各セグメント電極Ｘに表示データに対応する駆動信号を供給するためのセグメント駆動回路２Ａ，２Ｂが配置されている。このセグメント駆動回路２Ａ，２Ｂは、それぞれプラスチックフィルム上に大規模集積回路（以下、ＬＳＩと略称する）チップが実装された複数のテープキャリア（以下、ＴＡＢと・・・略称する）３と印刷配線基板（以下、ＰＷＢと略称する）４とで構成されている。すなわち、各ＴＡＢ３の一端側は液晶パネル１に、各ＴＡＢ３の他端側はＰＷＢ４側に接続されており、ＰＷＢ４上の印刷配線を介して隣接するＴＡＢ３のＬＳＩチップの入力側端子同士が電気的に接続されている。また、各ＴＡＢ３のＬＳＩチップの出力端子は液晶パネル１の対応する複数本のセグメント電極Ｘにそれぞれ接続されている。液晶パネル１の右端側に配置されるコモン駆動回路５の構成についても、上記セグメント駆動回路２Ａ，２Ｂの場合と同様に複数のＴＡＢ６とＰＷＢ７とによって構成され、各ＴＡＢ６のＬＳＩチップの入力側端子同士はＰＷＢ７上の印刷配線を介して電気的に接続され、また各ＴＡＢ６のＬＳＩチップの出力端子は液晶パネル１の対応する複数本のコモン電極Ｙにそれぞれ接続されている。」（１頁右下欄１０行〜２頁右上欄４行）こと、 
（Ｂ−３）「上記ＰＷＢ７上には、さらにセグメント駆動回路２Ａ，２Ｂやコモン駆動回路５におけるＴＡＢ３，６のＬＳＩチップから液晶パネル１のセグメント電極Ｘやコモン電極Ｙに印加する複数レベルのバイアスを生成する電極バイアス回路８や外部から信号および電源を入力するためのコネクタ９などが実装されている。また、セグメント駆動回路２Ａ，２Ｂ側のＰＷＢ４とコモン駆動回路５側のＰＷＢ７との間はジャンパ線１０を介して電気的に接続されている。」（２頁右上欄５〜１４行）こと、 
（Ｂ−４）「第２図は、上記液晶表示装置の回路構成を概略的に示したブロック図である。ＬＳＩチップ１６ａ，１６ｂはコモン駆動回路１５を構成するそれぞれのＴＡＢ１６ごとに実装されているＬＳＩチップを表し、ここでは説明を簡単にするためにコモン駆動回路１５が２つのＴＡＢ１６からなっている場合を示している。これらのＬＳＩチップ１６ａ，１６ｂは絵素の各行つまり各コモン電極Ｙを線順次に指定する機能を担う回路であって双方向レジスタを含んでおり、それぞれ複数の出力端子ｙ１〜ｙｎを持ち液晶パネル１１の対応するコモン電極Ｙに接続されている。また、上記ＬＳＩチップ１６ａ，１６ｂは、それぞれ２つのシフトデータ入出力端子ＤＩ０１，ＤＩ０２を持ち、一方のＬＳＩチップ１６ａのシフトデータ入出力端子ＤＩ０２と他方のＬＳＩチップ１６ｂのデータ入出力端子ＤＩ０１とを接続することによって、これらのＬＳＩチップ１６ａ１６ｂは縦続接続されている。・・・また、上記ＬＳＩチップ１３ａ，１３ｂも、それぞれ２つのシフトデータ入出力端子ＥＩ０１，ＥＩ０２を持ち、一方のＬＳＩチップ１３ａのシフトデータ入出力端子ＥＩ０２と他方のＬＳＩチップ１３ｂのデータ入出力端子ＥＩ０１とを接続することによって、これらのＬＳＩチップ１３ａ，１３ｂは縦続接続されている。・・・上記セグメント駆動用ＬＳＩチップ１３ａ，１３ｂおよびコモン駆動用ＬＳＩチップ１６ａ，１６ｂは、それらに含まれる双方向シフトレジスタのシフト方向を指定する信号を入力する入力端子ＳＨＬをそれぞれ持ち、そのシフト方向指定信号としてセグメント駆動用ＬＳＩチップ１３ａ，１３ｂにはハイレベルの電位ＶDDが与えられ、コモン駆動用ＬＳＩチップ１６ａ，１６ｂにはロウレベルの電位ＶSSが与えられる。これによって、コモン駆動用ＬＳＩチップ１６ａ，１６ｂの双方向シフトレジスタではシフト方向が出力端子ｙ１→ｙｎへ向かう方向に定められ、シフトデータ入出力端子はＤＩ０１が入力、ＤＩ０２が出力に定められる。また、セグメント駆動用ＬＳＩチップ１３ａ，１３ｂでは双方向シフトレジスタのシフト方向が出力端子ｘ１→ｘｍに向かう方向に定められ、シフトデータ入出力端子はＥＩ０１が入力、ＥＩ０２が出力に定められる。また、ハイレベルの電位ＶDDはシフトデータとして先頭のセグメント駆動用ＬＳＩチップ１３ａのシフトデータ入出力端子ＥＩ０１にも与えられる。」（３頁左上欄１７行〜４頁右上欄４行）こと、 
（Ｂ−５）「第７図（ａ），（ｂ）は第３図に示すセグメント駆動用ＴＡＢ１３の部分拡大図である。・・・第７図（ａ）の左片側では、例えばその左側からシフトデータ入出力端子ＥＩ０２、電源端子ＶDD，ＶSS，バイアス入力端子Ｖ２，Ｖ３，Ｖ５、電源端子ＶDDなどの入力側端子がこれらの順序で配列され、第７図（ｂ）の右片側では、右側からシフトデータ入出力端子ＥＩ０２、電源端子ＶDD、バイアス入力端子Ｖ５，Ｖ３，Ｖ２、電源端子ＶSS，ＶDD、シフトデータ入出力端子ＥＩ０１などの入力端子がこれらの順序で配列されている。・・・これによって、例えば第１図における先頭のＴＡＢ１３の左片側では、そのシフトデータ入出力端子ＥＩ０２が入力側として選ばれる場合に隣のＴＡＢ１３との接続は不要であるので、そのまま分離パターン部分ＥＩ０２ａから分離したままにされるかわりに、電源端子ＶDDに半田付け接続される。・・・第８図（ａ），（ｂ）は第４図に示すコモン駆動用ＴＡＢ１６の部分拡大図である。・・・例えばシフトデータ入出力端子ＤＩ０２について、分離パターン部分ＤＩ０２ａが形成され、別のＴＡＢ１６のシフトデータ入出力端子ＤＩ０１との接続を選択したり、電源端子ＶDDとの接続を選択できるようにした構成は、上述したセグメント側のＴＡＢ１３の場合と同様である。」（５頁右上欄４行〜右下欄１５行）ことが記載されている。 
（Ｂ−６）また、第２図にはセグメント駆動用ＬＳＩチップ１３ａ，１３ｂのＳＨＬにハイレベルの電位ＶDDが入力されるとシフト方向がｘ１→ｘｎの左から右となり、コモン駆動用ＬＳＩチップ１６ａ，１６ｂのＳＨＬにロウレベルの電位ＶSSが入力されるとシフト方向がｙ１→ｙｎの上から下、すなわちセグメント駆動用ＬＳＩチップ１３ａ，１３ｂのシフト方向に対応させると右から左となることが描かれている。　 
 　　　　　　 
４．対比  
　本願発明と引用発明とを対比する。 
　引用発明の「回路基板」、「半導体チップ５，１５の端子ＳＨＬ」、「半導体チップ５、１５」、「ハイレベル電位ライン３０及びグランドライン３１の２個のボンディングパッド」、「ワイヤ」、「液晶駆動回路の回路基板」とがそれぞれ本願発明の「基板」、「シフト信号入力端子」、「従属接続されて基板に設けられた複数の駆動回路」、「複数のシフト信号選択端子群」、「ジャンプ部材」、「液晶駆動回路基板」に相当する。 
　また、引用発明の「ハイレベル電位ライン３０またはグランドライン３１」の各電圧は半導体チップのデータのデータの転送方向を設定するものであるから引用発明の「ハイレベル電位ライン３０またはグランドライン３１」の各電圧が本願発明の「ハイレベル及びローレベルの制御信号」に相当する。
　そして、引用発明において「ハイレベル電位ライン３０のボンディングパッドと端子ＳＨＬをワイヤで接続」すること、「グランドライン３１のボンディングパッドと端子ＳＨＬをワイヤで接続」することはそれぞれ本願発明の「シフト信号選択端子群において、ハイレベルの制御信号を前記シフト信号として複数の駆動回路の各シフト信号入力端子に入力するようにジャンプ部材で接続」すること、及び「シフト信号選択端子群において、ローレベルの制御信号をシフト信号として複数の駆動回路の各シフト信号入力端子に入力するようにジャンプ部材で接続」することに相当するから、引用発明も本願発明も共に「シフト信号選択端子群において、ハイレベルの制御信号を前記シフト信号として複数の駆動回路の各シフト信号入力端子に入力するようにジャンプ部材で接続、又はシフト信号選択端子群において、ローレベルの制御信号をシフト信号として複数の駆動回路の各シフト信号入力端子に入力するようにジャンプ部材で接続」する構成を有することで共通するものである。
　そうすると、本願発明と引用発明とは、 
「基板と、動作信号のシフト方向を決定するシフト信号が入力されるシフト信号入力端子と、を有し、従属接続されて前記基板に設けられた複数の駆動回路と、を備え、 
　前記駆動回路は、 
　前記シフト信号入力端子に入力されるシフト信号が、ハイレベルの信号であるか、ローレベルの信号であるか、に応じて、動作信号のシフト方向が設定される液晶駆動回路基板において、 
　前記基板上に、 
　少なくとも一定のハイレベル及びローレベルの制御信号が供給され、 
　入力される前記ハイレベル及びローレベルの制御信号のいずれか一方の信号を前記シフト信号とし、該シフト信号を、前記駆動回路の前記シフト信号入力端子に入力するための、前記ハイレベル及びローレベルの制御信号、及び、前記複数の駆動回路のシフト信号入力端子、に接続される複数のシフト信号選択端子群と、
　を形成し、
　前記シフト信号選択端子群において、前記ハイレベルの制御信号を前記シフト信号として前記複数の駆動回路の各シフト信号入力端子に入力するようにジャンプ部材で接続、又は、前記シフト信号選択端子群において、前記ローレベルの制御信号を前記シフト信号として前記複数の駆動回路の各シフト信号入力端子に入力するようにジャンプ部材で接続したことを特徴とする液晶駆動回路基板。」である点で一致し、次の相違点（ア）及び（イ）で相違している。 
　　　
・相違点（ア）  
　本願発明では従属接続されて基板に設けられた複数の駆動回路が「動作信号のシフト方向を決定するシフト信号が入力されるシフト信号入力端子」のほかに「動作が開始される側を指示するセレクト信号が入力される一対のセレクト信号入出力端子」を有し、「シフト信号入力端子に入力されるシフト信号が、ハイレベルの信号であるか、ローレベルの信号であるか、に応じて、動作信号のシフト方向が設定され、一対のセレクト信号入出力端子の一方から入力されたセレクト信号を他方のセレクト信号入出力端子から出力」するとともに、「シフト信号入力端子」に対応して設けられた「複数のシフト信号選択端子群」と同様に、基板上に「入力されるハイレベル及びローレベルの制御信号のいずれか一方をセレクト信号とし、該セレクト信号を、駆動回路の一対のセレクト信号入出力端子のうちのいずれかに入力するための、ハイレベル及びローレベルの制御信号のいずれか一方、及び、複数の駆動回路の各セレクト信号入出力端子、に接続される複数のセレクト信号選択端子群」を形成し、「シフト信号選択端子群において、ハイレベルの制御信号をシフト信号として複数の駆動回路の各シフト信号入力端子に入力するようにジャンプ部材で接続するとき、セレクト信号選択端子群において、セレクト信号と従属接続された複数の駆動回路のうちの一端側の駆動回路のセレクト信号入出力端子とをジャンプ部材で接続可能であり、シフト信号選択端子群において、ローレベルの制御信号をシフト信号として複数の駆動回路の各シフト信号入力端子に入力するようにジャンプ部材で接続するとき、セレクト信号選択端子群において、セレクト信号と従属接続された複数の駆動回路のうちの他端側の駆動回路のセレクト信号入出力端子とをジャンプ部材で接続可能」としたのに対して、引用発明では基板に設けられた表示電極駆動回路２、１２を構成する半導体チップ５、１５が、データの転送方向が設定される端子ＳＨＬを備えているものの、「一対のセレクト信号入出力端子」とそれに対応した「複数のセレクト信号選択端子群」の駆動回路の端子を備えていない点。
・相違点（イ） 
　本願発明では基板上に「少なくとも一定のハイレベル及びローレベルの制御信号が供給される入力端部」を有するのに対して、引用発明では回路基板上にそのような構成を備えていない点。　
　　　　　　　　　　　　　 
５．当審の判断  
　そこで、上記相違点（ア）及び（イ）について判断する。  
・相違点（ア）について 
　シフト方向を決定するハイレベル電位又はローレベル電位が入力される端子ＳＨＬのほかに、ハイレベル又はローレベルの何れか一方の電位と接続される一対のシフト開始用の入出力端子を有し、端子ＳＨＬと接続される電位がハイレベル電位のとき、動作信号のシフト方向が決定されるときの先頭となる一方のシフト開始用の入出力端子にハイレベル又はローレベルの何れか一方の電位を接続し、端子ＳＨＬと接続される電位がローレベル電位のとき、動作信号のシフト方向が決定されるときの先頭となる他方のシフト開始用の入出力端子にハイレベル又はローレベルの何れかの一方の電位を接続し、ハイレベル又はローレベルの電位が接続されたシフト開始用の入出力端子の一方から他方のシフト開始用の入出力端子に出力する駆動回路は周知（例えば特開平３−１４０９９６号公報の第１図、第２図、第６図（Ａ）、第６図（Ｂ）、４頁右下欄７行〜５頁左上欄１行、６頁右上欄８行〜左下欄７行、特開平４−３７１９１８号公報の図１、図２、段落番号【００１３】、【００１５】【００１６】、【００２２】参照）である。
　そして、上記周知例の特開平４−３７１９１８号公報の図１、図２、段落番号【００１５】、【００１６】、【００２２】には、フレキシブル基板４上に設けられたどちらか一方のシフト開始用の入出力端子となるチップイネーブルデータ入出力端子／ＥＬとローレベル電位となるアース線Ｖｓｓとを接続する際に、シフト方向を決定する端子ＳＨＬとハイレベル電位となる電源電圧供給線ＶDDの配線又はローレベル電位となるアース線の配線とがジャンパーチップＪ3、Ｊ６を用いて接続されると同様に、チップイネーブルデータ入出力端子／ＥＬに対応して設けられたローレベル電位となるアース線Ｖｓｓの配線とチップイネーブルデータ入出力端子／ＥＬとがジャンパーチップＪ1、Ｊ２、Ｊ４、Ｊ５を用いて接続することが記載され、さらに、上記引用刊行物Ａの上記（Ａ−６）には、表示電極駆動回路２，１２を構成する半導体チップ５、１５のデータの転送方向を変える際にワイヤで選択的に接続される端子群として、データの転送方向を決定する端子ＳＨＬに入力するためのハイレベル電位ライン３０またはグランドライン３１の２個のボンディングパッドからなる端子群のほかに、半導体チップ５と１５のキャリー端子ＣＡＲやイネーブル端子Ｅとワイヤで接続するための端子群を表示電極駆動回路２、１２上、すなわち回路基板上に設け、ハイレベル電位ライン３０のボンディングパッドと半導体チップ５、１５の端子ＳＨＬとをワイヤで接続し、シフト方向が半導体チップ５から半導体チップ１５にデータがシフトされると半導体チップ５のキャリー端子ＣＡＲと半導体チップ１５のイネーブル端子Ｅとが電気的接続されるように、キャリー端子ＣＡＲやイネーブル端子Ｅとワイヤで接続するための端子群と半導体チップ５のキャリー端子ＣＡＲと半導体チップ１５のイネーブル端子Ｅとが選択的にワイヤで接続され、グランドライン３１のボンディングパッドと半導体チップ５、１５の端子ＳＨＬとをワイヤで接続し、シフト方向が半導体チップ１５から半導体チップ５にデータがシフトされると半導体チップ１５のキャリー端子ＣＡＲと半導体チップ５のイネーブル端子Ｅとが電気的接続されるように、キャリー端子ＣＡＲやイネーブル端子Ｅとワイヤで接続するための端子群と半導体チップ５のキャリー端子ＣＡＲと半導体チップ１５のイネーブル端子Ｅとが選択的にワイヤで接続されることが記載されていることを考慮すると、データの転送方向を決定する電位が入力される端子ＳＨＬを有する液晶駆動回路で周知の技術事項と共通し、回路基板上に設けたハイレベル電位ライン３０またはグランドライン３１の２個のボンディングパッドとデータの転送方向を決定する端子ＳＨＬとがワイヤで接続されデータ転送方向が決定される引用発明においても、シフト方向を決定するハイレベル電位又はローレベル電位が入力される端子ＳＨＬのほかに、ハイレベル又はローレベルの何れかの一方の電位と接続される一対のシフト開始用の入出力端子を有し、端子ＳＨＬと接続される電位がハイレベル電位のとき、動作信号のシフト方向が決定されるときの先頭となる一方のシフト開始用の入出力端子にハイレベル又はローレベルの何れかの一方の電位を接続し、端子ＳＨＬと接続される電位がローレベル電位��とき、動作信号のシフト方向が決定されるときの先頭となる他方のシフト開始用の入出力端子にハイレベル又はローレベルの何れか一方の電位を接続し、ハイレベル又はローレベルの電位が接続されたシフト開始用の入出力端子の一方から他方のシフト開始用の入出力端子に出力する周知の駆動回路を採用するとともに、上記引用刊行物Ａに記載された、データの転送方向を決定する端子ＳＨＬに入力するためのハイレベル電位ライン３０及びグランドライン３１の２個のボンディングパッドとともに回路基板上に設けられたキャリー端子ＣＡＲやイネーブル端子Ｅとワイヤで接続するための端子群と同様に、一対のシフト開始用の入出力端子に対応して接続されるハイレベル電位を供給する端子群を、データの転送方向を決定する端子ＳＨＬに入力するためのハイレベル電位ライン３０及びグランドライン３１の２個のボンディングパッドとともに回路基板上に形成し、ハイレベル電位ライン３０のボンディングパッドとデータ転送方向を決定する端子ＳＨＬとをワイヤで接続するとき、ハイレベル又はローレベルの何れかの一方の電位を供給する端子と動作信号のデータの転送方向が決定されるときの一方の先頭となる駆動回路のシフト開始用の入出力端子とをワイヤで接続し、グランドライン３１のボンディングパッドとデータ転送方向を決定する端子ＳＨＬとをワイヤで接続するとき、ハイレベル又はローレベルの何れか一方の電位を供給する端子と動作信号のシフト方向が決定されるときの他方の先頭となる駆動回路のシフト開始用の入出力端子とをワイヤで接続すること、すなわち、「動作信号のシフト方向を決定するシフト信号が入力されるシフト信号入力端子」のほかに「動作が開始される側を指示するセレクト信号が入力される一対のセレクト信号入出力端子と」を有し、「シフト信号入力端子に入力されるシフト信号が、ハイレベルの信号であるか、ローレベルの信号であるか、に応じて、動作信号のシフト方向が設定され、一対のセレクト信号入出力端子の一方から入力されたセレクト信号を他方のセレクト信号入出力端子から出力」するとともに、「シフト信号入力端子」に対応して設けられた「複数のシフト信号選択端子群」と同様に、基板上に「入力されるハイレベル及びローレベルの制御信号のいずれか一方をセレクト信号とし、該セレクト信号を、駆動回路の一対のセレクト信号入出力端子のうちのいずれかに入力するための、ハイレベル及びローレベルの制御信号のいずれか一方、及び、複数の駆動回路の各セレクト信号入出力端子、に接続される複数のセレクト信号選択端子群」を形成し、「シフト信号選択端子群において、ハイレベルの制御信号をシフト信号として複数の駆動回路の各シフト信号入力端子に入力するようにジャンプ部材で接続するとき、セレクト信号選択端子群において、セレクト信号と従属接続された複数の駆動回路のうちの一端側の駆動回路のセレクト信号入出力端子とをジャンプ部材で接続可能であり、シフト信号選択端子群において、ローレベルの制御信号をシフト信号として複数の駆動回路の各シフト信号入力端子に入力するようにジャンプ部材で接続するとき、セレクト信号選択端子群において、セレクト信号と従属接続された複数の駆動回路のうちの他端側��駆動回路のセレクト信号入出力端子とをジャンプ部材で接続可能」とすることは当業者が容易になし得るものである。
　 
・相違点（イ）について 
　上記引用刊行物Ａの（Ａ−６）からすると、引用発明の表示電極駆動回路２、１２を構成する回路基板上のハイレベル電位ライン３０とグランドライン３１を含む信号・電源ライン４は、外部から表示電極駆動回路２、１２に供給される信号・電圧を供給するためのラインである。
　一方、上記引用刊行物Ｂの（Ｂ−３）には液晶の駆動回路に用いられる信号や電源を外部から入力するためのコネクタ９を印刷配線基板ＰＷＢに実装することが記載されており、引用発明の信号・電源ライン４に含まれるハイレベル電位ライン３０とグランドライン３１の電圧も引用刊行物Ｂに記載された発明の液晶の駆動回路に用いられる信号や電源もともに外部から液晶駆動回路に供給されるものであることから、引用発明においても表示電極駆動回路２、１２を構成する回路基板上に、外部から供給される信号・電圧をハイレベル電位ライン３０とグランドライン３１を含む信号・電源ライン４に供給するためのコネクタを設けること、すなわち、基板上に「少なくとも一定のハイレベル及びローレベルの制御信号が供給される入力端部」を設けることは当業者が容易になし得るものである。 
　そして、本願発明によってもたらされる効果は、引用発明、上記引用刊行物Ｂに記載された発明及び周知の技術事項から予測される範囲内のものであり、格別のものではない。
 　　
６．むすび  
　したがって、その余の請求項に係る発明について検討するまでもなく、本願は、当審で通知した上記拒絶の理由によって拒絶をすべきものである。 　  
 　 
　よって、結論のとおり審決する。